(57)【要約】【課題】重量を増加させずに複数の給送気装置が設けられる天板の変形を抑制することが可能な空気調和装置用キャビネット及びこれを用いた空気調和装置を提供することを目的とする。【解決手段】取付部２４ａ、２４ｂを介して複数の給送気装置が下面側に取り付けられると天板２１と、天板２１の周縁部から下方に向かって延びて天板２１の下方の空間を取り囲む側板２２と、を有し、複数の取付部２４ａ、２４ｂ間を結ぶ仮想直線に対して直交する方向に延在する中央部用補強リブ２５が設けられる。【選択図】図２
2011257068.tif 000002
【特許請求の範囲】
【請求項１】
取付部を介して複数の給送気装置が下面側に取り付けられる天板と、
該天板の周縁部から下方に向かって延びて前記天板の下方の空間を取り囲む側板と、を有し、
各前記取付部間を結ぶ仮想直線に対して直交する方向に延在する中央部用補強リブが設けられる空気調和装置用キャビネット。
【請求項２】
前記中央部用補強リブは、複数設けられる請求項１に記載の空気調和装置用キャビネット。
【請求項３】
前記取付部近傍には、該取付部近傍から前記周縁部に向けて幅が漸次拡大される複数の周縁部用補強リブを有する請求項１または請求項２に記載の空気調和装置用キャビネット。
【請求項４】
各前記周縁部用補強リブは、前記取付部を中心として放射状に形成される請求項１から請求項３のいずれかに記載の空気調和装置用キャビネット。
【請求項５】
各前記周縁部用補強リブは、前記取付部を中心として、前記給送気装置が発生する気流の旋回方向と同一方向に渦を巻く渦巻形状に形成される請求項１から請求項４のいずれかに記載の空気調和装置用キャビネット。
【請求項６】
各前記周縁部用補強リブは、少なく１つが延在方向に断面視した場合において複数の屈曲部を有する複雑形状をなす請求項１から請求項５のいずれかに記載の空気調和装置用キャビネット。
【請求項７】
天井に埋め込まれる請求項１から請求項６のいずれかに記載の空気調和装置用キャビネットを備える空気調和装置。
【発明の詳細な説明】
【技術分野】
【０００１】
本発明は、空気調和装置の天井埋め込み型の室内機に用いられる空気調和装置用キャビネット及びこれを用いた空気調和装置に関するものである。
【背景技術】
【０００２】
空気調和装置の天井埋め込み型の室内機としては、一般に、遠心ファン及びファンモータからなる給送気装置と、この給送気装置を包囲してその送風路中に配設される熱交換器と、給送気装置及び熱交換器を収納する空気調和装置用キャビネット（以下、「キャビネット」という。）とを備え、キャビネットは、給送気装置が下面に取り付けられる天板と、この天板の四方を囲む側板とを有する箱形状をなしている。
【０００３】
キャビネットの天板の下面側には、給送気装置を構成する遠心ファン及びファンモータが取り付けられるようになっているため、天板の強度が十分でないと、給送気装置の重みによって天板の給送気装置の取付部が周縁部よりも下方に突出するように弾性変形してしまう（すなわち、天板が下方に向けて凸となるように変形してしまう）。
【０００４】
このため、給送気装置の取付部の近傍に加わる下向きの荷重（給送気装置の重み）を分散するために、天板の給送気装置の取付部の周囲に２重にしたリブを設けたり、給送気装置の取付部から周縁部に向かって幅を漸次拡大したリブを設けたりしている（例えば、特許文献１から特許文献３）。
【先行技術文献】
【特許文献】
【０００５】
【特許文献１】特許第３８０７４３６号公報
【特許文献２】特開２００６−２９２３１２号公報
【特許文献３】特開２００７−１９２４１５号公報
【発明の概要】
【発明が解決しようとする課題】
【０００６】
しかしながら、特許文献１から特許文献３に開示されている発明は、１枚の天板に１つの給送気装置が設けられているキャビネットについてであり、１枚の天板に複数の給送気装置が設けられているキャビネットの場合には、上述したようなリブを適用しても給送気装置間の天板の変形を十分に抑えることができないという問題があった。
【０００７】
本発明は、このような事情に鑑みてなされたものであって、重量を増加させずに複数の給送気装置が設けられる天板の変形を抑制することが可能な空気調和装置用キャビネット及びこれを用いた空気調和装置を提供することを目的とする。
【課題を解決するための手段】
【０００８】
上記課題を解決するために、本発明は以下の手段を提供する。
すなわち、本発明の空気調和装置用キャビネットは、取付部を介して複数の給送気装置が下面側に取り付けられる天板と、該天板の周縁部から下方に向かって延びて前記天板の下方の空間を取り囲む側板と、を有し、各前記取付部間を結ぶ仮想直線に対して直交する方向に延在する中央部用補強リブが設けられることを特徴とする。
【０００９】
中央部用補強リブを、天板に設けられた各取付部間を結ぶ仮想直線に対して直交する方向に延在するように設けることとした。そのため、天板の下面側に給送気装置を取り付けることによって取付部に下向きの荷重が加わり給送気装置間の天板が下方に変形する場合であっても、各取付部近傍に作用する下向きの荷重を中央部用補強リブを介して天板全体により分散して支持することができる。したがって、給送気装置間の天板の変形量を低減することができる。
【００１０】
本発明の空気調和装置用キャビネットに係る前記中央部用補強リブは、複数設けられることを特徴とする。
【００１１】
中央部用補強リブを給送気装置間に複数設けることとした。そのため、天板の下面側に給送気装置が取り付けられて取付部に下向きの荷重が加わり給送気装置間の天板が下方に変形した場合であっても、各取付部近傍に作用する下向きの荷重を複数の中央部用補強リブを介して天板全体により分散して支持することができる。したがって、給送気装置間の天板の変形量を低減することができる。
【００１２】
本発明の空気調和装置用キャビネットに係る前記取付部近傍には、該取付部近傍から前記周縁部に向けて幅が漸次拡大される複数の周縁部用補強リブを有することを特徴とする。
【００１３】
取付部側から周縁部側に向かうにつれて漸次拡大される幅（取付部を中心とする円周方向の幅）を有する周縁部用補強リブを取付部近傍に設けることとした。これにより、取付部に下向きの荷重が加わった場合にも、各取付部近傍の下向きの荷重を周縁部用補強リブを介して周縁部に分散させることができる。そのため、各取付部近傍に作用する下向きの荷重を周縁部用補強リブを介して天板全体に更に分散させて支持することができる。したがって、天板の変形量を低減することができる。
【００１４】
本発明の空気調和装置用キャビネットに係る各前記周縁部用補強リブは、前記取付部を中心として放射状に形成されることを特徴とする。
【００１５】
各周縁部用補強リブを、取付部を中心として放射状に形成することとした。これにより、補強リブの縁部は、取付部を中心とした放射状に配置されることになる。そのため、天板において下向きの荷重による変形が生じやすい方向に沿って、曲げ強度の高い周縁部用補強リブの縁部が設けられることになる。したがって、天板の変形量を低減することができる。
【００１６】
本発明の空気調和装置用キャビネットに係る各前記周縁部用補強リブは、前記取付部を中心として、前記給送気装置が発生する気流の旋回方向と同一方向に渦を巻く渦巻形状に形成されることを特徴とする。
【００１７】
各周縁部用補強リブを給送気装置が発生する気流の旋回方向と同一方向に渦を巻く渦巻状に形成することとした。これにより、給送気装置が発生する気流は、周縁部用補強リブによって乱されにくくなる。したがって、気流の乱れによる騒音が発生しにくくなる。
【００１８】
本発明の空気調和装置用キャビネットに係る各前記周縁部用補強リブは、少なく１つが延在方向に断面視した場合において複数の屈曲部を有する複雑形状をなすことを特徴とする。
【００１９】
各周縁部用補強リブのうちの少なくとも１つが、その延在方向の断面視において複数の屈曲部を有する複雑形状を成すこととした。これにより、周縁部用補強リブの断面二次モーメントを更に大きくすることができる。そのため、天板の強度を向上させることができる。したがって、天板の変形量を低減することができる。
【００２０】
本発明の空気調和装置は、天井に埋め込まれる上記のいずれかに記載の空気調和装置用キャビネットを備えることを特徴とする。
【００２１】
給送気装置間の天板の変形量を低減することが可能な空気調和装置用キャビネットを用いることとした。これにより、空気調和装置の空気調和装置用キャビネットの変形を抑制することができる。したがって、空気調和装置用キャビネットの変形に由来する空気調和装置の騒音を低減することができる。
【発明の効果】
【００２２】
中央部用補強リブを、天板に設けられた各取付部間を結ぶ仮想直線に対して直交する方向に延在するように設けることとした。そのため、天板の下面側に給送気装置を取り付けることによって取付部に下向きの荷重が加わり給送気装置間の天板が下方に変形する場合であっても、各取付部近傍に作用する下向きの荷重を中央部用補強リブを介して天板全体により分散して支持することができる。したがって、各取付部近傍に作用する下向きの荷重を低減して、給送気装置間の天板の変形量を低減することができる。
【図面の簡単な説明】
【００２３】
【図１】本発明の第１実施形態に係る空気調和装置の縦断面構成図である。
【図２】図１に示す空気調和装置の空気調和装置用キャビネットの斜視図である。
【図３】図１に示す空気調和装置の空気調和装置用キャビネットの平面図である。
【図４】図１に示す空気調和装置の空気調和装置用キャビネットの天板に給送気装置を取り付けた際の空気調和装置用キャビネットの変形量を等高線を用いて表した図である。
【発明を実施するための形態】
【００２４】
［第１実施形態］
以下、本発明の第１実施形態について、図１から図４を用いて説明する。
図１に示すように、本実施形態に係る空気調和装置１は、天井に設けられている開口部（図示せず）内に埋め込まれている室内機２と、室外に設置されている室外機（図示せず）とを有している。室内機２と室外機とは、図示しない冷媒回路を介して接続されており、この冷媒回路を介して室内機２と室外機との間で熱のやり取りが行われるようになっている。
【００２５】
室内機２は、天井に設けられている開口部に埋め込まれている空気調和装置用キャビネット１１と、天井の開口部を空気調和装置用キャビネット１１ごと覆っている化粧パネル（図示せず）とを有している。化粧パネルには、空気取入口（図示せず）と空気吹出口（図示せず）とが設けられている。
【００２６】
空気調和装置用キャビネット１１内には、化粧パネルの空気取入口から室内空気を取り込んで空気吹出口から再び室内に送出する複数の給送気装置１２（例えば、２つ。）と、各給送気装置１２ａ、１２ｂが空気調和装置用キャビネット１１内に取り込んだ室内空気と冷媒回路内の冷媒との間で熱交換を行う熱交換器１３とが設けられている。
【００２７】
給送気装置１２は、各駆動軸１４を略鉛直下方に向けた状態にして空気調和装置用キャビネット１１に吊り下げられているファンモータ１６と、ファンモータ１６の下方に設けられてファンモータ１６によって駆動される遠心ファン１７（シロッコファン）とを各々有している。
【００２８】
遠心ファン１７は、ファンモータ１６の駆動軸１４に略同軸にして取り付けられている多翼のファン本体１８と、ファン本体１８を囲むように設けられてファン本体１８の周囲に室内空気を案内する流路を形成しているハウジング１９とを有しており、ファン本体１８がファンモータ１６によって回転駆動されることにより、ファン本体１８の下方から化粧パネルの空気取入口を通じて室内空気を吸い込むとともに、この室内空気をファン本体１８の径方向外側（すなわち空気調和装置用キャビネット１１の周縁部側）に向けて送出して、化粧パネルの空気吹出口を通じて室内に吹出する構成とされている。
【００２９】
熱交換器１３は、各給送気装置１２ａ、１２ｂと後述する側板２２との間に設けられ、給送気装置１２ａおよび給送気装置１２ｂの周囲を取り囲むようにドレンパン２０上に配置されている。熱交換器１３は、各給送気装置１２ａ、１２ｂによって各ファン本体１８ａ、１８ｂの径方向外側に向けて送出された室内空気と冷媒回路内の冷媒との間で熱交換を行うものである。
【００３０】
空気調和装置用キャビネット１１は、各給送気装置１２ａ、１２ｂが下面側に取り付けられている長方形状の天板２１と、天板２１の周縁部から下方に向けて延びており天板２１の下方の空間を取り囲んでいる側板２２とを有している。
【００３１】
天板２１には、その下面に各取付部２４ａ、２４ｂを介して給送気装置１２ａ、１２ｂが取り付けられている。天板２１は、プレス加工等によって１枚の金属板を立体的に成形したものであって、本実施形態では、天板２１は、縦が７５０ｍｍであり、横が１５００ｍｍの長方形状に形成され、板厚０．８ｍｍの鋼板製の金属板によって構成されている。
【００３２】
天板２１の下面に設けられている各取付部２４ａ、２４ｂは、天板２１の長手方向に対して側板２２から約３分の１の位置と約３分の２の位置（図１において、左側の側板２２から天板２１の長手方向右側に向かって約３分の１の位置と約３分の２の位置）に取付部２４ａ、取付部２４ｂの順に設けられている。
【００３３】
天板２１の下面に設けられている各取付部２４ａ、２４ｂは、本実施形態では、天板２１の下方に向けて凸となる略正三角形の隆起部（図示せず）によって構成されている。各取付部２４ａ、２４ｂは、各取付部２４ａ、２４ｂの周囲に略等間隔に配置されている三本の取付ボルト（図示せず）によって天板２１に固定されている。
【００３４】
取付部２４ａと取付部２４ｂとの間の天板２１には、取付部２４ａと取付部２４ｂとの間を結ぶ仮想直線（図示せず）に対して直交する方向に延在している中央部用補強リブ２５が形成されている。また、天板２１には、各取付部２４ａ、２４ｂの近傍から周縁部に向けて複数の周縁部用補強リブ２３が形成されている。
【００３５】
各中央部用補強リブ２５は、取付部２４ａと取付部２４ｂとの間の天板２１に、複数本、例えば、３本設けられている。各中央部用補強リブ２５は、図１に示すように、縁部２６が天板２１から傾斜状態にして立ち上がる傾斜部とされており、縁部２６に囲まれている領域が天板２１と略平行な平面部とされている。すなわち、各中央部用補強リブ２５は、その延在方向に直交している断面形状が略台形をなしている。取付部２４ａと取付部２４ｂとの間の天板２１上を周縁部側の片側から反対側（図１において下側の周縁部側から上側の周縁部側）へと延在している各中央部用補強リブ２５は、その延在方向の幅が略均一とされている。
【００３６】
各周縁部用補強リブ２３は、図２および図３に示すように、天板２１に設けられている各取付部２４ａ、２４ｂ側から周縁部側に向うにつれてその幅が漸次拡大されている。周縁部用補強リブ２３の取付部２４ａ側の各端部は、互いに接続されている。また、周縁部用補強リブ２３の取付部２４ｂ側の各端部も、同様に、互いに接続されている。これにより、各取付部２４ａ、２４ｂは、各々その周囲が全周にわたって複数の周縁部用補強リブ２３によって取り囲まれることとなる。すなわち、各周縁部用補強リブ２３は、各取付部２４ａ、２４ｂを中心として放射状に形成されることとなる。
【００３７】
各周縁部用補強リブ２３は、図１に示すように、縁部２６が天板２１から傾斜状態にして立ち上がる傾斜部とされており、縁部２６に囲まれている領域が天板２１と略平行な平面部とされている。すなわち、周縁部用補強リブ２３は、延在方向に直交している断面形状が略台形をなしている。周縁部用補強リブ２３の幅（各取付部２４ａ、２４ｂを中心とする円周方向の幅）は、各取付部２４ａ、２４ｂ側から周縁部側に向うにつれて漸次拡大されている。
【００３８】
このように構成されている空気調和装置１では、室内機の空気調和装置用キャビネット１１の取付部２４ａと取付部２４ｂとの間の天板２１に中央部用補強リブ２５が設けられることによって、取付部２４ａと取付部２４ｂとに作用する給送気装置１２ａ、１２ｂの下向きの荷重を各中央部用補強リブ２５を介して天板２１全体に分散して支持することができる。さらに、複数の周縁部用補強リブ２３が各取付部２４ａ、２４ｂ側から周縁部側に向って放射状に形成されていることによって、取付部２４ａ、２４ｂに作用する給送気装置１２ａ、１２ｂの下向きの荷重を各周縁部用補強リブ２３を介して天板２１の周縁部にも分散して支持することができる。
【００３９】
取付部２４ａと取付部２４ｂとに作用する給送気装置１２ａ、１２ｂの下向きの荷重を中央部用補強リブ２５と周縁部用補強リブ２３とを介して天板２１に分散して支持することによって、取付部２４ａと取付部２４ｂとに作用する荷重を天板２１全体により受けることができる。したがって、取付部２４ａと取付部２４ｂとの間の天板２１および取付部２４ａと取付部２４ｂ近傍の天板２１とが下向きの荷重を受けることによる天板２１の下向きの変形量が低減される。
【００４０】
ここで、周縁部用補強リブ２３および中央部補強リブ２５の縁部２６は、天板２１の下面に対して交差する方向に屈曲された屈曲部を構成している。そのため、その延在方向に直交する断面における断面二次モーメントが大きい。
【００４１】
そのため、各取付部２４ａ、２４ｂに取り付けられている給送気装置１２ａ、１２ｂの下向きの荷重により取付部２４ａと取付部２４ｂとの間の天板２１において変形が生じる方向に沿って、曲げ強度の高い中央部用補強リブ２５の縁部２６が設けられることになるので、取付部２４ａと取付部２４ｂとの間の天板２１の変形量が低減される。
【００４２】
また、周縁部側に向うにつれて幅が拡大される各周縁部用補強リブ２３が、各取付部２４ａ、２４ｂを中心として放射状に形成されている。これにより、周縁部用補強リブ２３の縁部が、各取付部２４ａ、２４ｂを中心として放射状に配置されることになる。すなわち、天板２１において荷重による変形が生じやすい方向に沿って、曲げ強度の高い周縁部用補強リブ２３の縁部２６が設けられることになるので、天板２１の変形量が低減される。
【００４３】
このように構成されている空気調和装置用キャビネット１１の天板２１に各給送気装置１２ａ、１２ｂ（ファンモータの重量約２．３ｋｇ、遠心ファンの重量０．８ｋｇ強：合計重量３．１ｋｇ強）を取り付けた際の、天板２１の変形量を数値解析によって求めた。
図４には、１枚の天板２１に２つの給送気装置１４ａ、１４ｂを取り付けた際の天板２１の変形量を等高線を用いて表した図が示されている。なお、隣接する等高線間での天板２１の上下方向への変位量は０．１ｍｍである。
【００４４】
取付部２４ａと取付部２４ｂとの間の天板２１には、その長手方向に３本の中央部用補強リブ２５が形成され、かつ、各取付部２４ａ、２４ｂから周縁部に向うにつれて漸次幅が拡大される複数の周縁部用補強リブ２３が各取付部２４ａ、２４ｂを中心にして放射状に形成されている本実施形態の空気調和装置用キャビネット１１では、天板２１において最も下方に位置しているのは、各取付部２４ａ、２４ｂ近傍部分であり、取付部２４ａと取付部２４ｂとの間の天板２１ではないことがわかる。すなわち、取付部２４ａと取付部２４ｂとの間の天板２１は、周縁部から０．６ｍｍ下方に変位しているが、最も変位して取付部２４ｂ近傍部分は、周縁部から０．９ｍｍ下方に変位している。したがって、取付部２４ａと取付部２４ｂとの間の天板２１の変位量は、取付部２４ｂ近傍部分の変位量よりも小さいこととなる。
【００４５】
このように、取付部２４ａと取付部２４ｂとの間の天板２１に中央部用補強リブ２５を設けることによって、天板２１の板厚を増加させずに取付部２４ａと取付部２４ｂとの間の天板２１の変形を抑制することができる。
【００４６】
以上述べたように、本実施形態に係る空気調和装置用キャビネットおよびこれを備えた空気調和装置によれば、以下の効果を奏する。
中央部用補強リブ２５を、天板２１に設けられている取付部２４ａと取付部２４ｂとの間を結ぶ仮想直線に対して直交する方向に延在するように設けることとした。そのため、天板１２の下面側に各給送気装置１２ａ、１２ｂを取り付けることによって各取付部２４ａ、２４ｂに下向きの荷重が加わり、給送気装置１２ａと給送気装置１２ｂとの間の天板２１が下方に変形する場合であっても、各取付部２４ａ、２４ｂの近傍に作用する下向きの荷重を中央部用補強リブ２５を介して天板２１全体に分散して支持することができる。したがって、給送気装置１２ａと給送気装置１２ｂとの間の天板２１の変形量を低減することができる。
【００４７】
中央部用補強リブ２５を給送気装置１２ａと給送気装置１２ｂとの間の天板２１に３本（複数）設けることとした。そのため、天板２１の下面側に給送気装置１２ａおよび給送気装置１２ｂが取り付けられて各取付部２４ａ、２４ｂに下向きの荷重が加わり給送気装置１２ａと給送気装置１２ｂとの間の天板２１が下方に変形した場合であっても、各取付部２４ａ、２４ｂの近傍に作用する下向きの荷重を３本の中央部用補強リブ２５を介して天板２１全体により分散して支持することができる。したがって、給送気装置１２ａと給送気装置１２ｂとの間の天板２１の変形量を低減することができる。
【００４８】
各取付部側２４ａ、２４ｂから周縁部側に向かうにつれて漸次拡大されている幅（各取付部２４ａ、２４ｂを中心とする円周方向の幅）を有している周縁部用補強リブ２３を各取付部２４ａ、２４ｂの近傍に設けることとした。これにより、各取付部２４ａ、２４ｂに下向きの荷重が加わった場合にも、各取付部２４ａ、２４ｂ近傍の下向きの荷重を周縁部用補強リブ２３を介して周縁部に分散させることができる。そのため、各取付部２４ａ、２４ｂ近傍に作用する下向きの荷重を周縁部用補強リブ２３を介して天板２１全体に分散させて支持することができる。したがって、天板２１の変形量を低減することができる。
【００４９】
周縁部用補強リブ２３を、各取付部２４ａ、２４ｂを中心として放射状に形成することとした。これにより、各周縁部用補強リブ２３の縁部２６は、各取付部２４ａ、２４ｂを中心とした放射状に配置されることになる。そのため、天板２１において下向きの荷重による変形が生じやすい方向に沿って、曲げ強度の高い周縁部用補強リブ２３の縁部２６が設けられることになる。したがって、天板２１の変形量を低減することができる。
【００５０】
給送気装置１２ａと給送気装置１２ｂとの間の天板２１の変形量を低減することが可能な空気調和装置用キャビネット１１を用いることとした。これにより、空気調和装置１の空気調和装置用キャビネット１１の変形を抑制することができる。したがって、空気調和装置用キャビネット１１の変形に由来する空気調和装置１の騒音を低減することができる。
【００５１】
本実施形態では、中央部用補強リブ２５および周縁部用補強リブ２３は、それらの各延在方向に直交する断面から見て略台形に形成されるものとして説明してが、本発明は、これに限定されるものではなく、中央部用補強リブ２５および周縁部用補強リブ２３の延在方向に直交する断面形状が例えば円弧形状、三角形状や矩形状といった任意の形状であっても良い。
【００５２】
また、本実施形態では、室内機２に給送気装置１２ａ、１２ｂを２台設けた場合について説明したが、本発明は、これに限定されるものではなく、２台以上の給送気装置１２を設けるものとしても良い。
【００５３】
また、本実施形態では、取付部２４ａと取付部２４ｂとの間の天板２１に中央部用補強リブ２５を３本形成するとして説明したが、本発明は、これに限定されるものではなく、中央部用補強リブ２５の数は、１本以上であれば良い。
【００５４】
なお、本実施形態では、周縁部用補強リブ２３は、縁部２６が天板２１から傾斜状態にして立ち上がる傾斜面をなしており、周縁部用補強リブ２３の縁部２６に囲まれている領域は、天板２１と略平行な平面とされているとして説明したが、本発明は、これに限定されるものではなく、少なくともいずれかの周縁部用補強リブ２３を、延在方向の断面視において複数の屈曲部を有する複雑形状に形成してもよい。
このように周縁部用補強リブ２３を複雑形状に形成することによって、周縁部用補強リブ２３の断面二次モーメントがさらに大きくなるので、天板２１の強度が向上し、天板２１の変形量が低減される。
【００５５】
［第２実施形態］
本実施形態の空気調和装置は、周縁部用補強リブが取付部を中心に給送気装置が発生する気流の旋回方向と同一方向に渦を巻くような形状に形成されている点で、第１実施形態と相違しその他は同様である。したがって、同一の構成については、同一の符号を付してその説明を省略する。
【００５６】
天板に設けられている各周縁部用補強リブは、各取付部を中心として各給送気装置の各遠心ファンが発生する気流の旋回方向と同一の方向に渦を巻くように形成された渦巻形状である。
このような渦巻形状の周縁部用補強リブが設けられている天板を有している空気調和装置は、各給送気装置が発生する気流が周縁部用補強リブによって乱されにくくなる。そのため、各給送気装置が発生する気流が乱れることにより生じる騒音を低下させることができる。
【００５７】
以上述べたように、本実施形態に係る空気調和装置用キャビネットおよびこれを備えた空気調和装置によれば、以下の効果を奏する。
各周縁部用補強リブを各給送気装置が発生する気流の旋回方向と同一方向に渦を巻く渦巻形状に形成することとした。これにより、各給送気装置が発生する気流は、周縁部用補強リブによって乱されにくくなる。したがって、気流の乱れによる騒音が発生しにくくなる。
【符号の説明】
【００５８】
１  空気調和装置
１１  空気調和装置用キャビネット
２１  天板
２２  側板
２４ａ、２４ｂ  取付部
２５  中央部用補強リブ
【図１】
2011257068.tif 000003
【図２】
2011257068.tif 000004
【図３】
2011257068.tif 000005
【図４】
2011257068.tif 000006